(57)【要約】【課題】  この発明のいくつかの実施例は、音声／映像取込機器を装着する装置、システムおよび方法を提供する。【解決手段】  ヘルメットに機器を装着するための装着装置は、ヘルメットの１つ以上の位置にフィットするよう適合された１つ以上の把持機構を有する支持構造と、所望の画像取込位置でカメラを支持するための、支持構造の第１の位置におけるカメラマウントとを含む。【選択図】  図１
2007143107.tif 000002
【特許請求の範囲】
【請求項１】
機器をヘルメットに装着するための装着装置であって、
前記ヘルメットの１つ以上の位置にフィットするよう適合された１つ以上の把持機構を有する支持構造と、
所望の画像取込位置でカメラを支持するための、前記支持構造の第１の位置におけるカメラマウントとを含む、装着装置。
【請求項２】
前記カメラに作動的に関連付けられるレコーダを支持するための、前記支持構造の第２の位置におけるレコーダマウントをさらに含む、請求項１に記載の装着装置。
【請求項３】
前記カメラによって取込まれたデータを前記レコーダに転送するための有線式リンクをさらに含む、請求項１または２に記載の装着装置。
【請求項４】
前記装着装置を前記ヘルメットの第１の側に接続するための第１のグリップをさらに含む、請求項１から３のいずれかに記載の装着装置。
【請求項５】
前記第１のグリップが、長さ調節可能レールを有するレールを含み、前記レールは、前記ヘルメットの端縁を把持するよう適合されたフックを有する、請求項４に記載の装着装置。
【請求項６】
前記第１のグリップが、長さ調節可能レールを有するレールを含み、前記レールは、前記ヘルメットの発泡体層を把持するよう適合されたフックを有する、請求項４に記載の装着装置。
【請求項７】
前記第１のグリップは、ハウジングから突出たレールの長さを変更するためのロック機構を含み、前記レールは前記ヘルメットの側部に接続することができる、請求項４に記載の装着装置。
【請求項８】
前記ロック機構は、所望の突出長さで前記レールをロックすることのできるねじ留め機構を含む、請求項７に記載の装着装置。
【請求項９】
前記装着装置を、前記ヘルメットの第２の実質的に反対の側部に接続する第２のグリップをさらに含む、請求項４に記載の装着装置。
【請求項１０】
映像を取込むためのシステムであって、
カメラを支持するためのカメラマウントと、
前記カメラに作動的に関連付けられるレコーダを支持するためのレコーダマウントと、
前記カメラマウントを前記レコーダマウントに取付けるための１つ以上の連結要素と、
前記カメラによって取込まれたデータを前記レコーダに転送するための有線式リンクと、
前記システムをヘルメットに接続するよう適合された１つ以上のグリップを含む、システム。
【請求項１１】
前記カメラマウントは、前記カメラの向きを変更することのできる配向機構に接続される、請求項１０に記載のシステム。
【請求項１２】
前記カメラマウントは、力が加えられると、配向機構のベースレール上で摺動することができる、請求項１０または１１に記載のシステム。
【請求項１３】
前記カメラマウントは、
前記カメラを機械的衝撃から保護するためのハウジングと、
前記カメラのレンズがデータを得るための開口部とを含む、請求項１０から１２のいずれかに記載のシステム。
【請求項１４】
前記１つ以上の連結要素は鎖を形成し、前記１つ以上の連結要素のうちの少なくとも１つは取外し可能である、請求項１０から１３のいずれかに記載のシステム。
【請求項１５】
前記１つ以上の連結要素のうちの少なくとも１つは、その中を横断する中空のシャフトを含む、請求項１０から１４のいずれかに記載のシステム。
【請求項１６】
前記有線式リンクの少なくとも一部は、前記中空のシャフトを通る、請求項１５に記載のシステム。
【請求項１７】
前記システムの電源から前記カメラに電力を伝達するためのケーブルをさらに含み、
前記ケーブルの少なくとも一部は前記中空のシャフトを通る、請求項１５または１６に記載のシステム。
【請求項１８】
前記１つ以上のグリップはレールを含み、前記レールは、前記レールの長さを短くするための単一方向の長さ短縮機構を有し、前記レールは、前記ヘルメットの端縁を把持するよう適合されたフックを有する、請求項１０から１７のいずれかに記載のシステム。
【請求項１９】
前記カメラマウント、前記レコーダマウントおよび前記１つ以上の連結要素のうちの少なくとも１つの下方側は、前記ヘルメットの湾曲形にフィットするよう実質的に湾曲した形状である、請求項１０から１８のいずれかに記載のシステム。
【請求項２０】
前記カメラマウントによって支持される前記カメラと、
前記レコーダ支持部によって支持される前記レコーダとをさらに含み、
前記レコーダは、前記カメラによって取込まれる前記データを記録するためのデジタル記憶ユニットを含む、請求項１０から１９のいずれかに記載のシステム。
【発明の詳細な説明】
【技術分野】
【０００１】
関連出願の相互参照
この出願は、２００５年１１月２１日に出願され、「音声／映像取込機器を装着する装置、システムおよび方法（“Device, System and Method of Mounting Audio/Video Capturing Equipment”）」と題された米国特許出願番号第１１／２８２，７１０号の利点および優先権を主張し、当該出願は、２００４年１０月２５日に出願され「音声／映像をデジタル記録する装置、システムおよび方法（“Device, System and Method of Digitally
Recording Audio/Video”）」と題された米国特許出願番号第１０／９７１，０５５号の一部継続出願であり、その利点および優先権を主張し、当該出願は、２００４年６月３日に出願され「音声／映像をデジタル記録する装置、システムおよび方法（“Device, System and Method of Digitally Recording Audio/Video”）」と題された米国仮特許出願第６０／５７６，３１２号の利点および優先権を主張し、これらすべての出願の全体が引用によりこの明細書中に援用される。
【０００２】
発明の分野
この発明は、概して、カメラおよびレコーダの分野に関し、より特定的には、音声／映像を取込みかつ記録するためのシステムに関する。
【背景技術】
【０００３】
発明の背景
音声／映像カメラは音声および／または映像を取込み得る。別個の記憶装置を用いて、カメラによって取込まれた音声および／または映像に対応するデータを記憶し得る。
【０００４】
カメラおよび記憶装置は、たとえば、テーブルまたは棚の上にカメラおよび記憶装置を配置することによって、屋内での監視に用いられてもよい。
【０００５】
残念ながら、たとえば、オートバイまたは馬などに乗りながら、付属装置を保持するための空間が制限されているかまたは全くない状態で、移動、戦闘活動、警備業務、スポーツを必要とする活動に従事しているユーザにとっては、屋外でカメラおよび記憶装置を用いることは不便で、目立ってしまい、および／または困難なものになってしまう可能性がある。
【発明の開示】
【課題を解決するための手段】
【０００６】
発明の概要
この発明のいくつかの実施例は、音声／映像取込機器を装着する装置、システムおよび方法を含む。
【０００７】
この発明のいくつかの実施例は、音声／映像機器をヘルメットに装着するための装着装置を提供する。当該装着装置は、たとえば、ヘルメットの上にフィットするよう適合され得る。装着装置は、たとえば好適なグリップを用いて、たとえば、ヘルメット上の１つ以上の所望の位置に装着するために適合された支持構造を含み得る。
【０００８】
装着装置は、支持構造上の第１の位置にありカメラを支持または収容するためのカメラマウントと、随意には、装着装置が装着されているヘルメットに相対している所望の位置にあるマイクロフォンとを含み得る。
【０００９】
装着装置はさらに、支持構造上の第２の位置にありレコーダを支持または収容するためのレコーダマウントを含み得る。当該レコーダは、カメラに作動的に接続され得、カメラによって取込まれる画像および／もしくは映像ならびに／またはマイクロフォンによって取込まれる音声を記憶し得る。
【００１０】
装着装置は、随意には、レコーダマウントにカメラマウントを取付けるための１つ以上の連結要素を含み得る。１つ以上の連結要素を追加するかまたは支持構造から取外して、たとえば、装着装置のサイズを増大もしくは低減させ得るか、または、装着装置を特定のヘルメットの湾曲、形状またはサイズにフィットさせることを可能にし得る。
【００１１】
カメラは、連結要素内の中空のシャフトを通り得る１つ以上の有線式リンクを用いてレコーダに接続され得る。有線式リンクは、たとえば、音声データおよび／または映像データをカメラおよび／またはマイクロフォンからレコーダに転送し得る。随意には、有線式リンクはさらに、電源、たとえば、レコーダの内部電源、または、装着装置に取付けられレコーダおよび／もしくはカメラに電力を供給することのできる別個の電源からカメラに電力を伝達し得る。
【００１２】
カメラは、随意には、たとえば、カメラマウントをベースレール上で摺動させるかもしくは滑らせたり、ベースレール上の特定の位置にカメラマウントをロックもしくは固定したりすることによって、ユーザがカメラの向きを変更することを可能にする配向機構によって支持され得る。
【００１３】
支持構造をヘルメットに接続するための１つ以上のグリップが装着装置に含まれてもよい。当該グリップは、たとえば、種類およびサイズを変えることのできるヘルメットに装着装置をフィットさせることを可能にする長さ調節可能グリップを含み得る。
【００１４】
いくつかの実施例においては、装着装置は、１つ以上の前部グリップおよび／または１つ以上の後部グリップを含み得る。グリップは、たとえばフック状であってもよい。グリップおよび／もしくはフックの相対位置、ならびに／またはグリップの長さは、たとえば、１つ以上の調節可能な前部レールおよび１つ以上の調節可能な後部レールを用いて調節または変更され得る。たとえば、前部グリップは、たとえばヘルメット構造の外側の硬質層の端縁において、ヘルメットの前部分にフィットされ得るのに対して、後部グリップは、たとえばヘルメットの後部分の端縁にフィットされ得る。
【００１５】
いくつかの実施例においては、１つ以上のグリップ、たとえば前部グリップおよび／または後部グリップは、長さ調節可能グリップ機構、長さ固定グリップ機構、単一方向の長さ短縮グリップ機構、または他の好適な把持機構を含み得る。
【００１６】
この発明のいくつかの実施例は、たとえば、カメラおよび／またはレコーダをヘルメットに容易および／または迅速に装着することを可能にし得る。
【００１７】
この発明の実施例は、他のさまざまな恩恵または利点を提供し得る。
この発明のものとみなされる主題は、この明細書の結論部分において特に指摘され、明確に主張されている。しかしながら、この発明は、その特徴および利点とともに、構成および動作方法の両方に関して、添付の図面とともに読まれると以下の詳細な説明を参照することによって最適に理解され得る。
【００１８】
説明を簡潔および明瞭にするために、図に示される要素は必ずしも縮尺通りに描かれているわけではないことが理解されるだろう。たとえば、要素のうちのいくつかの寸法は、
明瞭にするために、他の要素に比べて誇張される可能性がある。さらに、適切であると考えられれば、参照番号は、対応する要素または類似の要素を示すために図の中で繰返される可能性がある。
【発明を実施するための最良の形態】
【００１９】
発明の詳細な説明
以下の詳細な説明においては、この発明を完全に理解できるようにするために多数の特定の詳細が述べられる。しかしながら、当業者であれば、これらの特定の詳細なしにこの発明が実施可能であることを理解するだろう。他の場合には、この発明を不明瞭にしないようにするために、周知の方法、手順、構成要素、ユニットおよび／または回路は詳細には説明されていない。
【００２０】
図１を参照すると、この発明の実施例に従った装着装置１０００の断面図が概略的に示される。当該装着装置１０００はヘルメット１０５０に取付けられている。装着装置１０００は、たとえば、ヘルメット１０５０の上にフィットするかまたはヘルメット１０５０に取付けられるかもしくは接続されるよう適合され得る。
【００２１】
装着装置１０００は、たとえば、カメラ１０２１および随意にはマイクロフォン１０２２を支持または収容することのできるカメラマウント１０２３と、１つ以上の連結要素１０４０と、レコーダ１０３１を支持または収容することのできるレコーダマウント１０３０とを含み得る。カメラ１０２１は、連結要素１０４０内の中空のシャフトを通り得る１つ以上の有線式リンク１０３６を用いてレコーダ１０３１に接続され得る。有線式リンク１０３６は、たとえば、音声データおよび／もしくは画像データをカメラ１０２１および／もしくはマイクロフォン１０２２からレコーダ１０３１に転送し得、ならびに／または電力をレコーダ１０３１の電源１０３２からカメラ１０２１に転送し得る。
【００２２】
カメラマウント１０２３は、たとえば、ベースレール１０２５上でカメラマウント１０２３を摺動させるかまたは滑らせることによって、ユーザがカメラ１０２１の向きまたは角度方向を変更することを可能にする配向機構１０２４によって随意に支持され得る。
【００２３】
レコーダ１０３１は、たとえば少なくとも１５ミリメートル、約２０ミリメートル、約２５ミリメートルなどの直径を有するボタン１０３４を随意に含み得る。ボタン１０３４を押すことにより、ユーザはレコーダ１０３１を起動または停止させ得るか、動作命令をレコーダ１０３１に入力し得るか、または、レコーダ１０３１の動作パラメータもしくは動作モードを変更し得る。
【００２４】
装着装置１０００は、１つ以上の前部フック１００２を有する１つ以上の長さ調節可能前部レール１００１を用いてヘルメット１０５０の前側に接続され得る。たとえば、前部フック１００２は、ヘルメット１０５０の外側の硬質層１０５１と、ヘルメット１０５２の内側の軟質層または弾性層１０５２との間のヘルメット１０５０の一部に取付けられ得る。
【００２５】
装着装置１０００はさらに、１つ以上の後部フック１０１２を有する１つ以上の後部レール１０１１を用いてヘルメット１０５０の後ろ側に接続され得る。たとえば、後部フック１０１２は、ヘルメット１０５０の外側の硬質層１０５１とヘルメット１０５２の内側の軟質層または弾性層１０５２との間のヘルメット１０５０の一部に取付けられ得る。
【００２６】
随意には、装着装置１０００は、装着装置１０００の１つ以上の構成要素を相互接続するか、または、装着装置１０００の１つ以上の構成要素の挿入および／もしくは取外しを可能にするための支持構造１０４１を含み得る。一実施例においては、支持構造１０４１
は、たとえば、金属またはプラスチックから形成され、レコーダマウント１０３０、連結要素１０４０、配向機構１０２４および／またはカメラマウント１０２３を保持または支持することができ、随意には１つ以上の把持機構に接続される専用の湾曲したレールを用いて実現され得る。別の実施例においては、別個の支持構造１０４１を用いなくてもよく、たとえば、連結要素１０４０は、レコーダマウント１０３０およびカメラマウント１０２３または配向機構１０２４に接続される場合、支持構造１０４１の支持機能を含み得る。
【００２７】
図２を参照すると、この発明の実施例に従った装着装置１０００が概略的に示される。
たとえば、装着装置１０００は、カメラ１０２１、たとえばビデオカメラ、オーディオ／ビデオカメラ、スチルカメラ、「口紅」型のカメラ、「ボタン」タイプのカメラ、小型カメラ、撮像装置、ＣＣＤカメラ、ＣＭＯＳカメラなどを保持、収容、支持および／または内蔵することのできるカメラマウント１０２３を含み得る。
【００２８】
いくつかの実施例においては、カメラ１０２１は、随意には、音声を取込むことのできるマイクロフォン１０２２を含み得る。他の実施例においては、マイクロフォン１０２２は、装着装置１０００のサブユニット、レコーダ１０３１の一部、装着装置１０００に取付けられた別個のユニット、装着装置１０００の別の構成要素の一部など、として実現され得る。
【００２９】
カメラマウント１０２３は、比較的堅いかまたは硬質の材料、たとえばプラスチック、ポリカーボネート（ＰＣ）、金属などで形成されたハウジングまたはカバーを含み得る。これにより、カメラマウント１０２３が、不正な細工、機械的衝撃、硬い物体、外力、気象条件、雨、雪、熱、湿気、水などからカメラ１０２１を保護することが可能となり得る。たとえば、カメラマウント１０２３は、カメラ１０２１の実質的にすべてを囲むか、内蔵するかまたは覆って、たとえば、カメラ１０２１の他の部分を保護しつつ、カメラ１０２１のレンズまたは入力受信部分が画像を得ることを可能にし得る。
【００３０】
カメラ１０２１は、たとえば、接続機構、たとえばソケットコネクタ、ピンコネクタ、雄型・雌型コネクタ、プラグコネクタ、ねじ留め機構、プッシュ・プル機構、ねじ切り機構を用いて、力または圧力などを加えることによって、カメラマウント１０２３に挿入され得、ならびに／またはカメラマウント１０２３に接続および／もしくは着脱可能に装着され得る。いくつかの実施例においては、接続機構を用いてカメラマウント１０２３からカメラ１０２１を取外し得、これにより、ユーザが、たとえばメンテナンス、クリーニング、修理、交換などのためにカメラ１０２１を交換するかまたは取外すことが可能となり得る。
【００３１】
カメラマウント１０２３は、ユーザがカメラ１０２１の配置、向き、方向および／または位置を変更することを可能にする配向機構１０２４を含み得るか、または当該配向機構１０２４に接続され得る。たとえば、配向機構１０２４は、カメラ１０２１が位置決めされるかまたは向けられる角度の変更、カメラ１０２１によって取込まれた視野の変更、装置１０００に対するカメラマウント１０２３および／またはカメラ１０２１の位置の変更などをユーザが実行することを可能にし得る。一実施例においては、たとえば、配向機構１０２４は１つ以上のベースレール１０２５を含み得、その上において、カメラマウント１０２３は、たとえば圧力または力が加えられると前後に滑るか、摺動するかまたは移動し得る。こうして、ユーザは、ベースレール１０２５上でカメラマウント１０２３を移動させ得る。そして、固定またはロック機構、たとえばねじまたはピンを用いて、ベースレール１０２５の特定の場所でカメラマウント１０２３の位置を固定またはロックし得る。
【００３２】
たとえば、カメラマウント１０２３は、たとえばヘルメット１０５０の湾曲にフィット
するように実質的に湾曲した形状をもつ下方側、ならびに／または、たとえば効率的な空気力学的流れを可能にしおよび／もしくはカメラマウント１０２３の空気力学的抵抗を低減させるように実質的に湾曲した形状をもつ上方側を含み得る。
【００３３】
装着装置１０００は、たとえば、１つ以上の構成要素を保持、収容、支持および／または内蔵することのできるレコーダマウント１０３０を含み得る。いくつかの実施例においては、たとえば、レコーダマウント１０３０は、データ、たとえばカメラ１０２１および／またはマイクロフォン１０２２によって取込まれた映像データおよび／または音声データを受信および記録することのできるレコーダ１０３０を支持または収容し得る。音声／映像データは、有線式リンク１０３６、たとえばワイヤ、ケーブル、レール、導電性要素などを用いて、カメラ１０２１および／またはマイクロフォン１０２２から受信レコーダ１０３０に転送され得る。随意には、他の実施例においては、カメラ１０２１は、無線リンクを用いて映像データをレコーダ１０３１に転送し得る。
【００３４】
いくつかの実施例においては、電源１０３２、たとえばバッテリ、充電可能なバッテリ、パワーセルなどはレコーダ１０３１に含まれてもよく、レコーダ１０３１に電力を供給し得る。随意には、レコーダ１０３１の電源１０３２はさらに、たとえば１つ以上のワイヤまたはケーブル、たとえば有線式リンク１０３６を用いてカメラ１０２１および／またはマイクロフォン１０２２に電力を供給し得る。一実施例においては、電源１０３２はレコーダ１０３１の内部にあってもよい。別の実施例においては、電源１０３２はレコーダ１０３１の外部にあってもよく、たとえばレコーダマウント１０３０の一部として、または装着装置１０００の別個のユニットとして実現されてもよい。いくつかの実施例においては、単一の電源１０３２は、レコーダ１０３１およびカメラ１０２１の両方に電力を供給し得る。
【００３５】
レコーダマウント１０３０は、比較的堅いかまたは硬質の材料、たとえばプラスチック、ポリカーボネート（ＰＣ）、金属などで形成されたハウジングまたはカバーを含み得る。これにより、レコーダマウント１０３０が、不正な細工、機械的衝撃、硬い物体、外力、気象条件、雨、雪、熱、湿気、水などからレコーダ１０３１および／または電源１０３２を保護することが可能となり得る。たとえば、レコーダマウント１０３０は、レコーダ１０３１の実質的にすべてを囲むか、内蔵するかまたは覆って、レコーダ１０３１の他の部分を保護しつつ、レコーダ１０３１の入力ソケットが有線式リンク１０３６から映像データを受信することを可能にし得る。
【００３６】
たとえば、レコーダマウント１０３０は、たとえばヘルメット１０５０の湾曲にフィットするように実質的に湾曲した形状をもつ下方側、ならびに／または、たとえば効率的な空気力学的流れを可能にしおよび／もしくはレコーダマウント１０２３の空気力学的抵抗を低減させるように十分に湾曲した形状をもつ上方側を含み得る。
【００３７】
たとえば、レコーダ１０３１は、接続機構、たとえばソケットコネクタ、ピンコネクタ、雄型・雌型コネクタ、プラグコネクタ、ねじ留め機構、プッシュ・プル機構、ねじ切り機構を用いて、力もしくは圧力などを加えることによって、レコーダマウント１０３０に挿入され得、ならびに／またはレコーダマウント１０３０に接続および／もしくは着脱可能に装着され得る。いくつかの実施例においては、接続機構を用いてレコーダマウント１０３０からレコーダ１０３１を取外し得、これにより、ユーザが、たとえばメンテナンス、クリーニング、修理、交換、データアップロード、データ検索、音声／映像再生などのためにレコーダ１０３１を交換するかまたは取外すことが可能となり得る。
【００３８】
レコーダ１０３１は、小型の記憶装置、たとえば小型のハードディスクドライブまたはフラッシュタイプのメモリユニットを有するデジタル音声／映像レコーダを含み得る。た
とえば、レコーダ１０３１は、この明細書中に記載されるレコーダ２００と実質的に同一であり得るかもしくは当該レコーダ２００に類似し得、この明細書中に記載されるレコーダ２００の１つ以上の構成要素を含み得、および／または、この明細書中に記載されるレコーダ２００の１つ以上の機能もしくは特徴を有し得る。他の好適な音声／映像レコーダが装着装置１０００と共に用いられてもよい。
【００３９】
いくつかの実施例においては、随意には、レコーダマウント１０３０およびレコーダ１０３１は、単一のユニットとして予め製造され得るか、予め設けられ得るかまたは実現され得る。たとえば、レコーダマウント１０３０は、レコーダ１０３１の構成要素のためのハウジングとして用いられてもよく、これにより、レコーダ１０３１がその内部にその構成要素を囲む別個のハウジングを有する必要をなくし得る。
【００４０】
カメラマウント１０２３は、たとえば、連結要素１０４０の鎖を形成するよう相互接続された１つ以上の連結要素１０４０を用いて、レコーダマウント１０３０に取付けられ得るかまたは接続され得る。連結要素１０４０のうちの１つ以上は、たとえば、当該鎖からの１つ以上の連結要素１０４０のモジュール方式の取外しおよび／または追加を可能にするよう着脱可能または取外し可能であり得、これにより、ユーザが、連結要素１０４０および装着装置１０００の全長（たとえば、鎖）を変えるか、長くするかまたは短くすることが可能になり得る。いくつかの実施例においては、モジュール方式の取外し可能および／または挿入可能な連結要素は、たとえば、カメラマウント１０２３とレコーダマウント１０３０との間の距離の調節を可能にし得、装着装置１０００の形状、外形、長さ、サイズまたは湾曲の構成を可能にし得、特定のヘルメット１０５０の構造または湾曲にフィットするかまたはより良くフィットするように装着装置１０００を適合させることを可能にし得る、等々である。
【００４１】
いくつかの実施例においては、たとえば、カメラマウント１０２３は、第１の連結要素１０４０に着脱可能または着脱不可能に接続され得、レコーダマウント１０３０は、第２の連結要素１０４０に着脱可能または着脱不可能に接続され得、１つ以上の他の連結要素１０４０は、たとえば第１の連結要素１０４０と第２の連結要素１０４０との間に挿入され得るかまたはそこから取外され得る。連結要素１０４０は、たとえば、硬質材料、半硬質材料、プラスチック、ポリカーボネート（ＰＣ）、金属、硬質または半硬質ゴムなどから形成されてもよい。
【００４２】
いくつかの実施例においては、カメラ１０２１は、有線式リンク１０３６を用いてレコーダ１０３１に接続され得る。随意には、有線式リンク１０３６は、レール、ケーブル、金属要素、導電性要素、通信ケーブルなどを用いて実現され得る。一実施例においては、たとえば、第１の有線式リンク１０３６は、たとえば音声／映像データをカメラ１０２１からレコーダ１０３１に転送し得、第２の有線式リンク１０３６は、電力を電源１０３２および／またはレコーダ１０３１からカメラ１０２１に転送し得る。
【００４３】
随意には、１つ以上の有線式リンク１０３６は、たとえば、連結要素１０４０を横断し得るトンネル、空隙またはシャフトを用いて、連結要素１０４０の中空部分またはシャフトに挿入され得るか、またはその内部を通り得る。一実施例においては、連結要素１０４０は、空隙、トンネルまたはシャフトを形成する「Ｕ」字型の断面を有していてもよく、有線式リンク１０３６は、たとえば、「Ｕ」字型の断面の開いた部分を通して有線式リンク１０３６を押込むかまたは挿入することによってその中に挿入され得る。随意には、有線式リンク１０３５の長さは、たとえば、有線式リンク１０３５を折り畳むか、巻くか、輪にするか、切断するか、またはその長さを短くするかもしくは長くすることによって、カメラマウント１０２３とレコーダマウント１０３０との間の距離に対応するよう調節され得る。
【００４４】
いくつかの実施例においては、有線式リンク１０３６は、たとえば、導電性連結要素１０４０を用いたり、導電性部分を有する連結要素を用いたりなどして、連結要素１０４０の一体部品として、連結要素１０４０を支持し得る金属または導電性のレールとして、連結要素１０４０に取付けられ得るケーブルまたはワイヤとして、連結要素内に含まれ得るかまたは埋込まれ得る。
【００４５】
たとえば、連結要素１０４０は、たとえばヘルメット１０５０の湾曲にフィットするように実質的に湾曲した形状をもつ下方側、ならびに／または、効率的な空気力学的流れを可能にしおよび／もしくはレコーダマウント１０２３の空気力学的抵抗を低減させるように実質的に湾曲した形状をもつ上方側を含み得る。
【００４６】
いくつかの実施例においては、カメラマウント１０２３、レコーダマウント１０３０および／または連結要素１０４０のモジュール性により、ユーザが、これらの構成要素の、互いに相対的なさまざまな角度位置を用いることが可能になり得る。これはさらに、たとえば、特定のヘルメット１０５０にフィットするように、装着装置１０００を特定の湾曲した形状に適合させることを可能にし得る。
【００４７】
装着装置１０００の第１の側、たとえば前側は、たとえば変更可能な長さを有する調節可能なグリップ１００４を含み得る。グリップ１００４は、たとえば、中に１つ以上の調節可能なレール１００１を有するレールハウジング１００３を含み得る。調節可能なレール１００１は、１つ以上のフック１００２を含み得るか、または、当該１つ以上のフック１００２で終わり得る。レールハウジング１００３は、レールハウジング１００３から突き出たレール１００１の部分の調節、引込み、引出し、ロックおよび／または固定を行うための機構を含み得る。いくつかの実施例においては、たとえば、ねじ、ねじ留め機構またはねじ切り機構は、このようなレール１００１の調節および／またはロックのために用いられてもよい。レール１００１の長さは、たとえば、レール１００１のフック１００２がヘルメット１０５０の側部、たとえばヘルメット１０５０の内層１０５０、ヘルメット１０５０内の発泡体または布の層、ヘルメット１０５０の外層１０５１などを把持し得るかまたはこれに取付けられ得るように調節および／または固定され得る。
【００４８】
装着装置１０００の第２の側、たとえば後ろ側または実質的に反対側は、調節可能または調節不可能なグリップ１０１４を含み得る。一実施例においては、グリップ１０１４は、グリップ１００４、レールハウジング１００３、レール１００１および／またはフック１００２に類似の調節可能な機構を含み得る。別の実施例においては、グリップ１０１４は、ヘルメット１０５０、たとえばヘルメット１０５０の層１０５１または層１０５２にグリップ１０１４を取付けることを可能にするループ、ロック機構、単一方向の短縮機構、結合機構などを随意に含み得る。一実施例においては、一方向の結合またはロック機構は、たとえば、グリップ１０１４のサイズまたは長さが徐々に低減し得るが増大し得ないように用いられてもよい。いくつかの実施例においては、グリップ１０１４は、当該グリップ１０１４がヘルメット１０５０の側部、たとえばヘルメット１０５０の内層１０５２、ヘルメット内の発泡体または布の層、ヘルメット１０５０の外層１０５１などを把持し得るように、１つ以上のレール１０１１および／またはフック１０１２を含み得る。
【００４９】
グリップ１０１４および／または１００４は、たとえば、グリップ１００４がヘルメット１０５０の第１の側または端縁に取付けられ得、グリップ１０１４がヘルメット１０５０の第２の、実質的に反対の側部または端縁に取付けられ得るように、ユーザが装着装置１０００の長さを伸ばすことを可能にする他の好適な伸張機構を含み得る。
【００５０】
グリップ１００４および／またはグリップ１０１４は、たとえばヘルメット１０５０の
湾曲にフィットするように実質的に湾曲した形状をもつ下方側、ならびに／または、効率的な空気力学的流れを可能にしおよび／もしくはレコーダマウント１０２３の空気力学的抵抗を低減させるように実質的に湾曲した形状をもつ上方側を含み得る。いくつかの実施例においては、グリップ１００４および／またはグリップ１０１４は比較的薄くてもよく、たとえば、約１または２ミリメートルの厚さであってもよい。いくつかの実施例においては、グリップ１００４および／またはグリップ１０１４は、たとえば、ゴム、半硬質のゴム、弾性のある金属などから形成された弾性部分または半弾性部分から形成され得る。
【００５１】
いくつかの実施例においては、ユーザは比較的容易および／または迅速に装着装置１０００をヘルメット１０５０に装着し得る。たとえば、グリップ１０１４は、フック１０１２を用いるか、または、レール１０１１をヘルメット１０５０の内側の発泡体層１０５２に結合することによって、ヘルメット１０５０の後ろ側に取付けられ得る。レール１００１の長さは、フック１００２がヘルメット１０５０の前側、たとえばヘルメット１０５０の内側の発泡体層１０５２に接続し得るように変更または調節され得、たとえば伸ばされ得るか短くされ得る。随意には、１つ以上の連結要素１０４０は、たとえば、ヘルメット１０５０に装置１０００を装着する前に、特定のヘルメット１０５０のサイズまたは形状にフィットするよう取外され得るかまたは追加され得る。カメラ１０２１は、カメラマウント１０２３に挿入され得るかまたは接続され得る。レコーダ１０３１はレコーダマウント１０３０に挿入され得る。有線式リンク１０３６は、随意には連結要素１０３６内の中空のシャフトを通じてカメラ１０２１とレコーダ１０３０との間に接続され得る。カメラ１０２１の向きまたは位置は、たとえば配向機構１０２４を用いて調節され得る。レコーダ１０３１は、ボタン１０３４を用いて起動または停止させられ得、カメラ１０２１および／またはマイクロフォン１０２２によって取込まれた音声／映像データを受信および記録し得、電源１０３２からカメラ１０２１に電力を供給し得る。
【００５２】
装着装置１０００の構成要素は、他の好適な構成または機構を用いて接続、構成または配置され得る。一実施例においては、たとえば、カメラマウント１０２３は、レコーダマウント１０３０に接続され得る連結要素１０４０に接続され得る。別の実施例においては、たとえば、カメラマウント１０２３は、レコーダマウント１０３０に実質的に直接接続され得るかまたは当該レコーダマウント１０３０の近傍にあり得、連結要素１０４０は、レコーダマウント１０３０の後方および／またはカメラマウント１０２３の前方において接続され得る。さらに別の実施例においては、装着装置１０００は、カメラ１０２１が実質的に水平または実質的に垂直に、水平角度または垂直角度で、後方、上方、横方向などを向き得るように構成または装着され得る。他の好適な構成が用いられてもよい。
【００５３】
いくつかの実施例においては、随意には、カメラマウント１０２３およびレコーダマウント１０３０は、装着装置１０００の単一または一体型のユニットとして実現され得る。
【００５４】
随意には、レコーダ１０３１は、レコーダ１０３１の動作を制御するための１つ以上のボタンを含み得る。たとえば、いくつかの実施例においては、レコーダ１０３１は、レコーダ１０３１を起動および／もしくは停止させるか、またはレコーダ１０３１を「スタンバイ」モードにするかもしくはこれを解除するための単一のボタン、たとえばボタン１０３４を含み得る。一実施例においては、ボタン１０３４は、ユーザがボタン１０３４を押すことができるようなサイズ、手袋を嵌めた指または手でボタン１０３４を押すことができるようなサイズなどの、たとえば１５ミリメートル、２０ミリメートル、２５ミリメートルなどの直径を有し得る。随意には、ボタン１０３４を押すことにより、レコーダ１０３１内で振動信号がトリガされて、たとえば、ボタンを押したことが記録されること、および／またはレコーダ１０３１の動作パラメータが変更されることをユーザに示し得る。一実施例においては、ボタン１０３４が押されると、たとえば、レコーダ１０３１は、カメラ１０２１によって取込まれた（たとえばＪＰＥＧフォーマットの）単一の静止画像ま
たは複数の静止画像（たとえば、特定の時間間隔で分けられた３つの連続したＪＰＥＧ画像）を記憶するよう命令され得る。いくつかの実施例においては、レコーダマウント１０３０の側部は、ユーザがたとえば指、手、手袋を嵌めた指、手袋を嵌めた手などを用いてボタン１０３４に到達してこれを押すことを可能にするための穴、開口部または窓を含み得る。
【００５５】
いくつかの実施例においては、レコーダマウント１０３０は、たとえば有線式または無線のリンクを用いてレコーダ１０３１が外部の装置と通信することを可能にする１つ以上の開口部または窓を含み得る。たとえば、レコーダマウント１０３０は、レコーダ１０３１のソケットまたはポートが音声／映像データを外部のモニタ、ディスプレイユニット、再生ユニット、スピーカ、イヤホン、ヘッドセット、プレーヤなどに転送（たとえば、アップロードまたは再生）することを可能にする窓を含み得る。
【００５６】
装着装置１０００は、さまざまな種類のヘルメット１０５０またはヘッドカバー、たとえば、オートバイ用ヘルメット、自転車用ヘルメット、兵士用ヘルメット、軍隊用ヘルメット、戦闘用ヘルメット、パイロット用ヘルメット、取締機関スタッフ用ヘルメット、警察官用ヘルメット、ＳＷＡＰ部隊用ヘルメット、消防士用ヘルメット、鉱山労働者用ヘルメット、建設作業員用ヘルメット、鉱員用ヘルメット、非常に激しい運動の訓練（たとえば、登山、パラシューティング、スキー、カーレース）で用いられるヘルメットなどに装着され得るかまたは取付けられ得る。
【００５７】
この発明のいくつかの実施例に従うと、装着装置１０００は、たとえば、実質的にベルクロ（Velcro）（登録商標）がないかまたはベルクロが少なくてもよく、実質的に接着剤がないかまたは接着剤が少なくてもよく、実質的にゴムバンドがないかまたはゴムバンドが少なくてもよく、実質的にテープがないかまたはテープが少なくてもよく、実質的にロープがないかまたはロープが少なくてもよい、等々である。こうして、この発明のいくつかの実施例は、音声／映像取込機器をヘルメットに装着するためにベルクロ（登録商標）、接着剤、ゴムバンド、テープまたはロープを用いる必要をなくし得る。したがって、この発明のいくつかの実施例は、安定した装着、確実な装着、耐久性のある装着、迅速な装着、信頼性のある装着、効率的な装着、比較的容易な装着および／または他の利益および利点を提供し得る。
【００５８】
図３は、ヘルメットにカメラおよびレコーダを装着する、この発明の実施例に従った方法の概略的なフローチャートである。当該方法は、たとえば、装置装置１０００および／またはヘルメット１０５０と共に用いられてもよい。
【００５９】
ブロック１３１０に示されるように、当該方法は、たとえば、カメラ１０２１をカメラマウント１０２３に挿入するかまたは接続するステップを随意に含み得る。
【００６０】
ブロック１３１５に示されるように、当該方法は、たとえば、レコーダ１０３１をレコーダマウント１０３０に挿入するかまたは接続するステップを随意に含み得る。
【００６１】
ブロック１３２０に示されるように、当該方法は、たとえば、カメラマウント１０２３を連結要素１０４０に接続するステップを随意に含み得る。
【００６２】
ブロック１３２５に示されるように、当該方法は、たとえば、レコーダマウント１０３０を連結要素１０４０に接続するステップを随意に含み得る。
【００６３】
ブロック１３３０に示されるように、当該方法は、たとえば、１つ以上の連結要素を挿入するかまたは取外すステップを随意に含み得る。
【００６４】
ブロック１３３５に示されるように、当該方法は、たとえば、カメラ１０２１とレコーダ１０３１との間に有線式リンク１０３５を接続するステップを随意に含み得る。これは、たとえば、１つ以上の連結要素１０４０の中空のシャフトを通して有線式リンク１０３５を挿入するステップを随意に含み得る。
【００６５】
ブロック１３４０に示されるように、当該方法は、たとえば、グリップ１０１４をヘルメット１０５０の第１の側、たとえば後ろ側に取付けるステップを随意に含み得る。
【００６６】
ブロック１３４５に示されるように、当該方法は、たとえば、調節可能なグリップ１００４をヘルメット１０５０の第２の側、たとえば前側に取付けるステップを随意に含み得る。これは、たとえば、レールハウジング１００３から突き出たレール１００１の長さを変更するステップを随意に含み得る。
【００６７】
ブロック１３５０に示されるように、当該方法は、たとえば配向機構１０２４を用いて、たとえば、カメラ１０２１および／またはカメラマウント１０２３の向きを変更または設定するステップを随意に含み得る。
【００６８】
ブロック１３６０に示されるように、当該方法は、たとえば、ボタン１０３４を押すことによって、たとえばレコーダ１０３１を起動させるステップを随意に含み得る。これは、たとえば、マイクロフォン１０２２によって音声データを取込み、当該音声データをレコーダ１０３１に記憶するステップ、カメラ１０２１によって映像データを取込み、音声データをレコーダ１０３１に記憶するステップ、および／または、レコーダ１０３１の電源１０３２によって電力をカメラ１０２１に供給するステップを含み得る。
【００６９】
他の好適な動作または動作の組が用いられてもよい。
図４は、この発明の実施例に従った装着装置１０００の等角図を概略的に示す。
【００７０】
図５は、この発明の実施例に従った装着装置１０００の側面図を概略的に示す。
図６は、レコーダマウント１０３０およびレコーダ１０３１が取外されている、この発明の実施例に従った装着装置１０００の側面図を概略的に示す。いくつかの実施例においては、たとえば、レコーダマウント１０３０およびレコーダ１０３１は、たとえば装着装置１０００から着脱可能、たとえば取外し可能であり得る。このような取外しを用いて、たとえば、レコーダ１０３１を計算プラットホームもしくはディスプレイユニットに接続し得るか、または、レコーダマウント１０３０および／もしくはレコーダ１０３１の交換、固定、メンテナンスもしくはクリーニングを可能にし得る。
【００７１】
図７は、レコーダマウント１０３０、レコーダ１０３１、カメラマウント１０２３およびカメラ１０２１が取外されている、この発明の実施例に従った装着装置１０００の側面図を概略的に示す。いくつかの実施例においては、たとえば、カメラマウント１０２３および／またはカメラ１０２１は、たとえば、装着装置１０００から着脱可能、たとえば取外し可能であり得る。このような取外しを用いて、たとえば、カメラマウント１０２３および／またはカメラ１０２１の交換、固定、メンテナンスまたはクリーニングを可能にし得る。
【００７２】
図８は、この発明の実施例に従った装着装置１０００の等角側面図を概略的に示す。
図９は、カメラ１０２１が中に含まれている、この発明の実施例に従ったカメラマウント１０２３の等角側面図を概略的に示す。
【００７３】
図１０は、カメラ１０２１が中に含まれている、この発明の実施例に従った図１および
図２のカメラマウント１０２３の側面図を概略的に示す。
【００７４】
図１１は、「口紅」型のカメラを用いて実現され、カメラマウント１０２３内部の保持機構によって保持される、この発明の実施例に従ったカメラ１０２１と、さらに配向機構１０２４とを示す等角側面図を概略的に示す。
【００７５】
図１２は、第１の実質的に水平な配向角に向けられた、この発明の実施例に従ったカメラ１０２１の第１の側面図を概略的に示す。
【００７６】
図１３は、第２の非水平な配向角に向けられた、この発明の実施例に従ったカメラ１０２１の第２の側面図を概略的に示す。
【００７７】
図１４は、この発明の実施例に従った連結要素の第１の等角側面図を概略的に示す。
図１５は、この発明の実施例に従った連結要素１０４０の第２の等角側面図を概略的に示す。
【００７８】
図１６は、この発明の実施例に従ったグリップ１００４の第１の等角側面図を概略的に示す。グリップ１００４は、レール１００１がレールハウジング１００３内に実質的に含まれるように、すなわち、レール１００１の比較的わずかな部分だけがレールハウジング１００３から突き出るように示される。
【００７９】
図１７は、この発明の実施例に従ったグリップ１００４の第２の等角側面図を概略的に示す。グリップ１００４は、レール１００１がレールハウジング１００３の実質的に外側にあるように、すなわち、レール１００１の大部分がレールハウジング１００３から突き出るように示される。
【００８０】
図１８は、この発明の実施例に従ったグリップ１００４の別の等角側面図を概略的に示す。
【００８１】
図１９は、この発明の実施例に従ったグリップ１００４の、角度のついたさらに別の側面図を概略的に示す。
【００８２】
図２０は、この発明の実施例に従ったグリップ１０１４の角度のついた側面図を概略的に示す。レコーダマウント１０３０およびレコーダ１０３１に接続されていないグリップ１０１４が図示される。
【００８３】
以下で用いられる「リンク」という語は、たとえば１つ以上のケーブル、ワイヤ、コネクタ、導体などを含み得、有線式および／または無線のリンクを含み得ることが認識されるだろう。
【００８４】
この明細書中で用いられる「ポート」という語は、たとえば、好適ないずれかのコネクタ、接続部、インターフェイス、ソケット、端子、プラグ、ピン、ボール、出口ソケットもしくはポート、入口ソケットもしくはポート、「イン」ソケットもしくはポート、「アウト」ソケットもしくはポート、送信機ソケットもしくはポート、受信機ソケットもしくはポート、または、入力および／もしくは出力としてデータもしくは信号を受信もしくは伝送することのできる他のコネクタもしくはポートを含み得ることが認識されるだろう。
【００８５】
この明細書中で用いられる「Ａ／Ｖデータ」という語は、たとえば、映像を表わすデータ、音声を表わすデータ、または音声および映像を表わすデータを含み得ることが認識されるだろう。
【００８６】
この明細書中で用いられる「プロセッサ」という語は、たとえば、中央処理装置（ＣＰＵ）、デジタル信号プロセッサ（ＤＳＰ）、マイクロプロセッサ、複数のプロセッサ、コントローラ、チップ、マイクロチップ、回路、処理回路、サブ回路、回路素子、または、他の如何なる好適な多目的もしくは特定のプロセッサもしくはコントローラもしくは回路をも含み得ることが認識されるだろう。
【００８７】
この明細書中で用いられる「レコーダ」という語は、たとえば、この発明の実施例に従って記録する音声および／または映像を表わすデータを記録することのできる特定または多目的のユニットまたはサブユニットまたはプロセッサを含み得ることが認識されるだろう。
【００８８】
ここで図２１を参照すると、カメラ１２０、コンピュータ１３０およびデジタルＡ／Ｖデータレコーダ１１０を組込んだ、この発明の具体的な実施例に従った記録システム１００のブロック図が概略的に示される。
【００８９】
カメラ１２０は、たとえば、音声および／または映像を取込むことのできるＡ／Ｖカメラを含み得る。いくつかの実施例においては、カメラ１２０は、サイズが比較的小さくてもよく、たとえば、形状、サイズまたは直径が２５セントコイン（たとえば、約２４ミリメートルの直径および約２、３、４もしくは５ミリメートルの厚さ）またはボタンまたは類似の小さな物体に類似していてもよく、比較的容易に隠すことができる。カメラ１２０は、たとえば、１つ以上のレンズ、焦点機構、照明ユニット、電荷結合素子（ＣＣＤ）カメラ、相補型金属酸化膜半導体（ＣＭＯＳ）カメラ、音声を取込むための任意のマイクロフォン、ならびに／またはさまざまなサイズおよび特性を有する他の好適なカメラを含み得る。
【００９０】
コンピュータ１３０は、たとえば、パーソナルコンピュータ、デスクトップコンピュータ、モバイルコンピュータ、ラップトップコンピュータ、ノート型コンピュータ、端末、ワークステーション、サーバコンピュータ、携帯情報端末（ＰＤＡ）装置、タブレットコンピュータ、ネットワークデバイスまたは他の好適な計算プラットホームもしくは計算装置を含み得るかまたはこれらであり得る。
【００９１】
レコーダ１１０は、たとえばリンク１２１を介してカメラ１２０に接続され得る。レコーダ１１０は、Ａ／Ｖデータをアナログ形式またはデジタル形式でカメラ１２０から受信し得る。随意には、レコーダ１１０がアナログ形式でＡ／Ｖデータを受信した場合、レコーダ１１０は、受信したＡ／Ｖデータをアナログ形式からデジタル形式に変換し得る。レコーダ１１０は、予め規定された方式またはアルゴリズムに従ってデジタルＡ／Ｖデータを圧縮し、圧縮されたＡ／Ｖデータを記録装置、たとえば、マイクロドライブ・ハードディスクドライブ、コンパクトフラッシュ（登録商標）（ＣＦ）記憶装置、フラッシュメモリ、または別の比較的小型の記憶装置に記憶し得る。
【００９２】
レコーダ１２０は、たとえば、リンク１３０を介してコンピュータ１３０に接続され得る。コンピュータ１３０は、レコーダ１１０に記憶された当該圧縮されたＡ／Ｖデータにアクセスして検索し得る。
【００９３】
いくつかの実施例においては、リンク１２１およびリンク１３１が同時には動作可能であり得ないことに留意されたい。たとえば、レコーダ１１０は、まず、リンク１２１を介してカメラ１２０に接続され得、Ａ／Ｖデータを受信、圧縮および記憶し得る。次いで、レコーダ１１０が随意にはカメラ１２０から切断され、リンク１３１を介してコンピュータ１３０に接続されて、コンピュータ１３０がレコーダ１１０に記憶された圧縮されたＡ
／Ｖデータにアクセスして検索することを可能にし得る。
【００９４】
図２２は、この発明のいくつかの具体的な実施例に従ったデジタルデータレコーダ２００のブロック図を概略的に示す。レコーダ２００は、図２１のレコーダ１１０の一例であり得る。レコーダ２００は、この発明のいくつかの実施例に従ったデジタルＡ／Ｖデータの圧縮および記録に好適であり得、この明細書中で詳述される任意の機能をレコーダ２００に提供し得る任意の構成要素を含み得る。
【００９５】
レコーダ２００は、たとえば、Ａ／Ｖデータを搬送する信号を受信することのできるＡ／Ｖ入力ポート２０１を含み得る。いくつかの実施例においては、Ａ／Ｖ入力ポート２０１は、たとえば、単一のＡ／Ｖプラグから音声および映像信号を受信することのできる、３．５ミリのミニジャックステレオＡ／Ｖコネクタを含み得る。Ａ／Ｖ入力ポート２０１は、カメラ、たとえば図２１のカメラ１２０から、たとえばアナログ形式でＡ／Ｖデータを受信し得る。音声データおよび映像データをともに搬送する信号を受信することのできる単一のＡ／Ｖ入力ポート２０１が図示されているが、複数のＡ／Ｖ入力ポート２０１、たとえば、映像信号を受信するための第１の入力ポートならびに音声信号を受信するための第２の入力ポート、または、映像信号を受信するための第１の入力ポートならびに音声信号を受信するための第２および第３の入力ポートが用いられてもよい。
【００９６】
一実施例においては、受信されたＡ／Ｖデータはデジタル形式であり得る。代替的な実施例においては、受信されたＡ／Ｖデータはアナログ形式であり得、レコーダ２００が当該Ａ／Ｖデータをデジタル形式に変換し得る。受信されたアナログＡ／Ｖデータは、Ａ／Ｖ入力ポート２０１から１つ以上のアナログ−デジタル（Ａ／Ｄ）コンバータに転送され得る。たとえば、Ａ／Ｖ入力ポート２０１は受信された音声データを音声Ａ／Ｄコンバータ２０２に転送し、受信された映像データを映像Ａ／Ｄコンバータ２０３に転送し得る。音声Ａ／Ｄコンバータ２０２は、たとえば、音声データをアナログ形式からデジタル形式に変換することのできるプロセッサを含み得る。一実施例においては、たとえば、音声Ａ／Ｄコンバータ２０２は、ＡＫＭ社によって製造されたシングルエンドの２４ビット音声Ａ／ＤコンバータモデルＡＫ５３８０を含み得る。映像Ａ／Ｄコンバータ２０３は、たとえば、映像データをアナログ形式からデジタル形式に変換することのできるプロセッサを含み得る。一実施例においては、たとえば、映像Ａ／Ｄコンバータ２０３は、フィリップス（Philips）社によって製造された映像入力プロセッサモデルＳＡＡ７１１３Ｈを含み得る。２つの別個のＡ／Ｄコンバータ２０２および２０３が図示されているが、いくつかの実施例には、音声データおよび映像データをともにアナログ形式からデジタル形式に変換することのできる複合型Ａ／Ｖ  Ａ／Ｄコンバータが含まれてもよい。
【００９７】
Ａ／Ｄコンバータ２０２および２０３によって変換されたかまたはＡ／Ｖ入力ポート２０１から直接受信されたデジタルＡ／Ｖデータはエンコーダ２０４に転送され得る。エンコーダ２０４は、たとえば、所定の符号化または圧縮アルゴリズムまたはコーデックに従って、デジタルＡ／Ｖデータを符号化または圧縮することのできるプロセッサを含み得る。符号化または圧縮アルゴリズムまたはコーデックは、たとえば、ＭＰＥＧ（Moving Picture Experts Group）、ＭＰＥＧ−１、ＭＰＥＧ−２、ＭＰＥＧ−３、ＭＰＥＧ−４、ＤｉｖＸ、ＸｖｉＤ、ビデオＣＤ（ＶＣＤ）フォーマット、スーパーＶＣＤ（ＳＶＣＤ）フォーマット、ＪＰＥＧ（Joint Photographic Experts Group）、モーションＪＰＥＧ（ＭＪＰＥＧ）、フォトＪＰＥＧ、ウインドウズ（登録商標）メディアビデオ、ウインドウズ（登録商標）メディアオーディオ、ＭＰＥＧ符号化に関連付けられる１つ以上の層、リアルビデオ（RealVideo）、リアルオーディオ（RealAudio）、Ｈ２６１、Ｈ２６３、シネパック（Cinepak）、インデオ（Indeo）、クイックタイム（QuickTime）、デジタルビデオカメラ（DV-Cam）、４キャラクタコード（FourCC）、ＬＺＷ（Lempel-Ziv-Welch）、Huffman、ＲＬＥ（Run Length Encoding）、または、損失があるかもしくは実質的に損失の少
ない他の好適なアルゴリズムもしくはコーデックを含み得る。
【００９８】
エンコーダ２０４は、たとえば、コード、マイクロコード、プログラム可能なマイクロコード、および／または、その動作中にエンコーダ２０４によって用いられ得るデータを記憶することのできるメモリユニット２５４を随意に含み得る。たとえば、メモリユニット２５４は、符号化動作中に用いられるビットレートを示し、たとえば毎秒１２８キロビットのビットレートを示すデータまたはマイクロコードを含み得る。
【００９９】
一実施例においては、エンコーダ２０４は、たとえば、富士通（Fujitsu）によって製造されたＭＰＥＧ−２エンコーダモデルＭＢ８６３９３を含み得、同期ダイナミックランダムアクセスメモリ（ＳＤ−ＲＡＭ）のメモリユニット２５４を含み得る。
【０１００】
エンコーダ２０４によって生成された圧縮されたＡ／Ｖデータは、たとえばデータを記憶することのできるメモリユニットを含み得るバッファ２０５に転送され得る。バッファ２０５は、たとえば、２キロバイトのデータの記憶容量を有する先入れ先出し（ＦＩＦＯ）バッファを含み得る。バッファ２０５は、随意には、バッファ２０５の動作を制御するコントローラ、および／または、たとえばバス幅変換機構を用いてさまざまなデータ転送速度に関連してバッファ２０５が動作することを可能にする適合機構を含み得る。一実施例においては、たとえば、バッファ２０５は、１８倍の速度で動作することができ、バス幅変換機構を含む８キロバイトのＦＩＦＯバッファ、たとえば、ＩＤＴ社によって製造されたバッファモデルＩＤＴ７２Ｖ２６３を含み得る。
【０１０１】
プロセッサ２０６は、バッファ２０５に接続され得、バッファ２０５からデータを読出すことができるかもしれない。たとえば、バッファ２０５に記憶されたデータが、バッファ２０５の最大記憶容量の所定の割合、たとえば５０％以上を占める場合、バッファ２０５は信号をプロセッサ２０６に送信し得る。信号を受信すると、プロセッサ２０６は、バッファ２０５に記憶された圧縮されたＡ／Ｖデータを読出し、当該圧縮されたＡ／Ｖデータを記憶ユニット２０９に書込み得る。一実施例においては、プロセッサ２０６は、たとえば、５１２キロバイトのフラッシュメモリを有する３０ＭＨｚの３２ビットマイクロコントローラ、たとえば、ルネサステクノロジ・コーポレイション（Renesas Technology Corporation）によって製造されたマイクロコントローラモデルＭ３０８３３Ｆを含み得る。
【０１０２】
いくつかの実施例においては、バッファ２０５はＦＩＦＯバッファを含み得、プロセッサ２０６による読出動作によってバッファ２０５における記憶空間が開放され得る。プロセッサ２０６は、たとえば、プロセッサ２０６の動作を制御する基本入出力システム（ＢＩＯＳ）を記憶することのできる読出専用メモリ（ＲＯＭ）２０７を随意に含み得る。プロセッサ２０６は、フラッシュメモリ２０８、たとえば、プロセッサ２０６の動作を制御する際に用いられるコードおよび／またはプロセッサ２０６の動作中に用いられるデータを記憶することのできるメモリ、を随意に含み得る。
【０１０３】
記憶ユニット２０９は、たとえば、プロセッサ２０６によって書込まれた符号化されたＡ／Ｖデータを記憶することのできるハードディスクドライブまたはフラッシュメモリを含み得る。一実施例においては、たとえば、記憶ユニット２０９は、マイクロドライブフォーマットのハードディスクドライブ、たとえば、日立（Hitachi）・アイー・ビー・エム（ＩＢＭ）社によって製造された、マイクロドライブフォーマットの４ギガバイトのハードディスクドライブであるコンパクトフラッシュ（登録商標）（ＣＦ）互換のモデルＨＭＳ３６０４０４Ｄ５ＣＦ００を含み得る。
【０１０４】
一実施例においては、記憶ユニット２０９は、固定されたおよび／または取外し不可能
な記憶ユニット、たとえば固定されたハードディスクを含み得る。代替的な実施例においては、記憶ユニット２０９は、取外し可能な記憶ユニット、たとえば、レコーダ２００から分離され取外され得る取外し可能なハードディスクを含み得る。いくつかの実施例においては、取外し可能な記憶ユニット２０９はレコーダ２００から取外され得、外部の装置、たとえばコンピュータ１３０、マイクロドライブリーダ、ＣＦリーダ、フラッシュメモリリーダなどに挿入または接続され得、これにより、外部の装置が、記憶ユニット２０９に記憶された圧縮されたＡ／Ｖデータにアクセスし、当該圧縮されたＡ／Ｖデータを読出し、変更し、および／または削除することを可能にし得る。
【０１０５】
別の実施例においては、記憶ユニット２０９は、レコーダ２００から記憶ユニット２０９を不正に取外すことを許可し得ないロック２５３によってロックされた取外し可能な記憶ユニットを含み得る。たとえば、ロック２５３は、キーを用いて取外し可能な記憶ユニット２０９の取外しを可能にするか、または、取外し可能な記憶ユニット２０９のいかなる取外しをも許可しないロック機構を含み得る。これは、たとえば、防止しながらもレコーダ２００を用いることを可能にし得る。
【０１０６】
いくつかの実施例においては、プロセッサ２０６は、別個の部分を用いて、たとえばデータブロック、パケットおよび／またはファイルを用いて、Ａ／Ｖデータを記憶ユニット２０９に書込み得る。一実施例においては、データは、１つ以上のＭＰＥＧまたはＭＰＥＧ−２ファイルとして、および／または「ＭＰＧ」もしくは「ＭＰＥＧ」もしくは「ＭＰ２」のファイル拡張を用いて書込まれてもよい。
【０１０７】
記憶ユニット２０９は、たとえばＵＳＢインターフェイスに従ってデータを送信および／または受信することのできるポートを含み得るユニバーサルシリアルバス（ＵＳＢ）ポート２１０に接続され得る。ＵＳＢポート２１０は、たとえば、ＵＳＢ１．０ポート、ＵＳＢ１．１ポート、ＵＳＢ２．０ポート、プラグアンドプレイＵＳＢポート、ミニＵＳＢポート、他の好適なＵＳＢポートを含み得る。ＵＳＢポート２１０は、たとえばＵＳＢポート２１０の動作を制御するためのＵＳＢデバイスマネージャを含み得る。一実施例においては、たとえば、ＵＳＢポート２１０は、ネットチップ（NetChip）社によって製造されたＵＳＢ２．０デバイスマネージャモデルＮＥＴ２２７０を含み得る。ＵＳＢポート２１０は、たとえば図２１のコンピュータ１３０に記憶ユニット２０９を接続し得、コンピュータ１３０が、記憶ユニット２０９に記憶された圧縮されたＡ／Ｖデータにアクセスして検索することを可能にし得る。
【０１０８】
いくつかの実施例においては、ＵＳＢポート２１０は、随意には、レコーダ２００と、外部の装置、たとえば図２１のコンピュータ１３０との双方向通信を可能にし得る。たとえば、記憶ユニット２０９に記憶されたＡ／Ｖデータをコンピュータ１３０が読出すことを可能にすることに加えて、ＵＳＢポート２１０は、記憶ユニット２０９に記憶されたＡ／Ｖデータをコンピュータ１３０が変更または削除することを可能にし得る。
【０１０９】
いくつかの実施例においては、レコーダ２００は、コンピュータ１３０が記憶ユニット２０９に記憶された圧縮されたＡ／Ｖデータにアクセスして検索することを可能にするために、ＵＳＢポート２１０ではなく、またはＵＳＢポート２１０に加えて、１つ以上の他の通信ポートを随意に含み得る。一実施例においては、たとえば、レコーダ２００は、随意には、ＩＥＥＥ１３９４の高性能シリアルバスインターフェイス２３５、たとえば、アップル（Apple）社のファイヤーワイヤ（FireWire）インターフェイスまたはソニー（Sony）社のｉ．ＬＩＮＫインターフェイスを含み得る。
【０１１０】
別の実施例においては、レコーダ２００は、記憶ユニット２０９に記憶された圧縮されたＡ／Ｖデータにコンピュータ１３０が無線でアクセスすることを可能にする無線インタ
ーフェイス２３６を随意に含み得る。無線インターフェイス２３６は、たとえば、送信機、受信機、送受信機、トランシーバ、アンテナ、ならびに／または、無線信号を送信および／もしくは受信することのできる他の好適なユニットを含み得る。いくつかの実施例においては、無線インターフェイス２３６は、１つ以上の無線通信規格またはプロトコル、たとえば８０２．１１、８０２．１１ａ、８０２．１１ｂ、８０２．１１ｇ、８０２．１６、Ｗｉ−Ｆｉ、Ｗｉ−Ｍａｘ、ブルートゥース（BlueTooth）、赤外線（ＩＲ）などに従って動作し得る。
【０１１１】
いくつかの実施例においては、レコーダ２００は、たとえば、当該レコーダ２００の１つ以上の構成要素、たとえばエンコーダ２０４またはＵＳＢポート２１０のためにタイミングおよび／または同期を提供することのできる位相ロックループ（ＰＬＬ）２１３または複数のＰＬＬ２１３を含み得る。一実施例においては、たとえば、ＰＬＬ２１３は、サイプレス（Cypress）社によって製造された３つのプログラマブルＰＬＬモデルＣＹ２２３９３を含み得る。
【０１１２】
いくつかの実施例においては、レコーダ２００は、たとえば時間および／もしくは日付を表わすデータを記憶することができるか、または、レコーダ２００の動作の際に用いられる１つ以上のパラメータを生成もしくは記憶することのできるリアルタイムクロック（ＲＴＣ）２１２を含み得る。一実施例においては、たとえば、ＲＴＣ２１２は、内部のランダムアクセスメモリ（ＲＡＭ）を有する低出力ＲＴＣ、たとえばマキシム（Maxim）社によって製造されるモデルＭＡＸ６９００を含み得る。ＲＴＣ２００は、たとえば、プロセッサ２０６によって記憶ユニット２０９に書込まれた圧縮されたＡ／Ｖデータファイルに関連付けられるタイムスタンプを生成するのにプロセッサ２０６が用い得る、時間を示すデータを生成し得る。
【０１１３】
いくつかの実施例においては、レコーダ２００は、レコーダ２００の１つ以上の構成要素に電力を供給することのできるバッテリ２２９を含み得る。バッテリ２２９は、１つ以上のパワーセル、取外し可能なバッテリ、取外し不可能なバッテリ、交換可能なバッテリ、交換不可能なバッテリ、充電可能なバッテリおよび／または充電不可能なバッテリを含み得る。一実施例においては、たとえば、バッテリ２２９は、３．６Ｖの公称電圧と１９５０ｍＡｈの公称容量とを有する充電可能なリチウムイオンバッテリ、たとえば、パナソニック（Panasonic）社によって製造されたモデルＣＧＡ１０３４５０Ａを含み得る。一実施例においては、バッテリ２２９は、レコーダ２００が約３時間にわたってＡ／Ｖデータを記録することを可能にする電力を供給し得る。いくつかの実施例においては、レコーダ２００はセルフパワー方式であり得、たとえば、バッテリ２２９がレコーダ２００および／またはレコーダ２００の実質的にすべての構成要素に十分な電力を供給し得る。いくつかの実施例においては、たとえば、レコーダ２００はセルフパワー方式であってもよく、外部の電源、たとえば約１１０または２２０ボルトの電圧を供給する交流（ＡＣ）電源に接続されなくてもよい。いくつかの実施例においては、たとえば、レコーダ２００はセルフパワー方式であってもよく、たとえば外部の電圧または電流を受信し、受信した電圧または電流を変換するか、増大させるかまたは低減させて、レコーダ２００が用いる電流または電圧を生成するために電力コンバータを含まなくてもよい。
【０１１４】
いくつかの実施例においては、バッテリ２２９は、入力電圧を受けることのできるパワーイン・ポート２２７に接続され得るバッテリチャージャ２３７に接続される充電可能なバッテリを含み得る。外部の電源は、パワーイン・ポート２２７を介してチャージャ２３７に電力を供給して、チャージャ２３７が充電可能なバッテリ２２９に充電もしくは再充電すること、および／または、レコーダ２００の１つ以上の構成要素に動作電力を供給することを可能にし得る。たとえば、一実施例においては、チャージャ２３７は、パワーイン・ポート２２７を通じて５Ｖ〜１２Ｖの入力電圧を受け、バッテリ２２９を充電もしく
は再充電し、および／または、レコーダ２００の１つ以上の構成要素に動作電力を供給し得る。一実施例においては、たとえば、チャージャ２３７は、マイクロチップ（MicroChip）社によって製造されたバッテリチャージャモデルＭＣＰ７３８４３を含み得る。
【０１１５】
いくつかの実施例においては、バッテリ２２９は、たとえば、外部の装置、たとえばカメラ１２０、マイクロフォン、照明装置などに電力を供給するために電圧を出力することのできるパワーアウト・ポート２２８に随意に接続され得る。たとえば、バッテリ２２９は、パワーアウト・ポート２２８を介して５００ｍＡの直流（ＤＣ）または５Ｖの電圧を出力し得る。
【０１１６】
いくつかの実施例においては、レコーダ２００は、たとえば、バッテリ２２９、チャージャ２３７、パワーイン・ポート２２７および／またはパワーアウト・ポート２２８のうちの１つ以上の動作を制御および／または監視するためのパワー管理集積回路（ＰＭＩＣ）２６０を随意に含み得る。たとえば、一実施例においては、ＰＭＩＣ２６０は、マキシム社によって製造されたトリプル出力ＰＭＩＣモデルＭＡＸ１７０２Ｂを含み得る。
【０１１７】
レコーダ２００は、当該レコーダ２００をオンおよびオフにすることのできるオン／オフスイッチ２２２を随意に含み得る。スイッチ２２２は、たとえば、スライドスイッチを含み得、バッテリ２２９および／またはレコーダ２２２の他の構成要素に接続され得る。スイッチ２２２がオンにされると、レコーダ２００は、たとえば、初期設定動作、ウォームアップ動作または録音前の他の準備動作を実行し、動作可能になって、この明細書中に詳述される１つ以上のトリガイベントに応答してＡ／Ｖデータを記録する準備を整え得る。スイッチ２２２がオフにされると、レコーダ２００は、たとえば、未処理の動作を仕上げ、レコーダ２００の１つ以上の構成要素の動作を終了させ得る。
【０１１８】
レコーダ２００は、１つ以上のトリガイベントに応答してデジタルＡ／Ｖデータを記録し得る。一実施例においては、たとえば、レコーダ２００は、アラームポート２１５を通じて外部の装置から受信したトリガ信号に応答してデジタルＡ／Ｖデータを記録し得る。たとえば、レコーダ２００は、予め規定された動きまたはいずれかの動きが検出されるとトリガ信号を送信し得るアラームシステムに、リンクを介して接続され得る。いくつかの実施例においては、レコーダ２００は、自動的にオンにされてもよく、および／または、トリガ信号を受信すると自動的にＡ／Ｖデータを記録してもよい。一実施例においては、トリガ信号を受信すると、レコーダ２００は、予め規定された期間、たとえば３０秒間、Ａ／Ｖデータを記録し得る。
【０１１９】
レコーダ２００は、たとえば１つ以上のボタンまたはスイッチを含み得るユーザインターフェイス２２４を介し、レコーダ２００のユーザによって与えられる命令に応答してデジタルＡ／Ｖデータを記録し得る。たとえば、インターフェイス２２４は「記録」ボタン２７１を含み得る。当該「記録」ボタン２７１は、ユーザによって押されると、たとえば、記憶ユニット２０９に記憶された新しいＭＰＥＧ−２ファイルにデジタルＡ／Ｖデータを記録し始めることによって、レコーダ２００の記録セッションを起動させ得る。インターフェイス２２４は「停止」ボタン２７２をさらに含み得る。当該「停止」ボタン２７２は、ユーザによって押されると、たとえば、記憶ユニット２０９に記憶されたＭＰＥＧ−２ファイルの生成を仕上げることによって、レコーダ２００の記録セッションを終了させ得る。
【０１２０】
インターフェイス２２４は「一時停止」ボタン２７３をさらに含み得る。当該「一時停止」ボタン２７３は、レコーダ２００の記録セッション中にユーザによって押されると、記憶ユニット２０９に記憶されたＭＰＥＧ−２ファイルの生成を仕上げずに記録セッションを一時的に中断させ、次にユーザによってボタンが押されると、現在開いているＭＰＥ
Ｇ−２ファイルにＡ／Ｖデータを引続き記録することを可能にし得る。いくつかの実施例においては、「一時停止」ボタン２７３は、予め規定された期間、たとえば１０分にわたって記録セッションを一時的に中断させ得るが、予め規定された期間が経過すると、一実施例においては、記録セッションが自動的に再開し得るか、または代替的な実施例においては、記録セッションが自動的に終了し得る。
【０１２１】
レコーダ２００は、たとえば、有線式または無線のリンク２１７およびリモートコントロール入力ポート２１６を介してレコーダ２００に接続されたリモートコントロール２１８を通じ、レコーダ２００のユーザが与えた命令に応答してデジタルＡ／Ｖデータを記録し得る。リモートコントロール２１８は、たとえば、「記録」ボタン２７１、「停止」ボタン２７２および／または「一時停止」ボタン２７３に類似の１つ以上のボタンまたはスイッチを含み得る。
【０１２２】
いくつかの実施例においては、インターフェイス２２４またはリモートコントロール２１８に含まれる１つのボタンを用いて複数の命令が与えられてもよい。たとえば、一実施例においては、複数状態スイッチを用いて、「記録」状態と、「一時停止」状態と、「停止」状態とを切換えることができる。代替的な実施例においては、押しボタンを用いることにより、たとえば、ボタン上で実行される押しの特性に関連したさまざまな機能が可能になり得る。たとえば、長い一押しは「記録」命令を示し得、短い二押しは「停止」命令を示し得、短い一押しは「一時停止」命令を示し得る、などである。
【０１２３】
いくつかの実施例においては、ユーザインターフェイス２２４に加えて、またはユーザインターフェイス２２４ではなく、レコーダ２００は１ボタンインターフェイス２２６を随意に含み得る。当該１ボタンインターフェイス２２６は、たとえば、ユーザが複数の命令を入力することを可能にする押しボタンまたはスイッチを含み得る。たとえば、１ボタンインターフェイス２２６の短い三押しのセットは「記録」命令を示し得、１ボタンインターフェイス２２６の次の短い三押しのセットは、「停止」命令または「一時停止」命令を示し得る。
【０１２４】
いくつかの実施例においては、ユーザインターフェイス２２４および／もしくは１ボタンインターフェイス２２６ならびに／またはリモートコントロール２１８の両方ではなく一方だけが、ある時点で動作可能になり得る。たとえば、一実施例においては、レコーダ２００は、有線式リモートコントロール２１８がリンク２１７を介してレコーダ２００に接続されていることを検出し得、リモートコントロール２１８を通じて与えられた命令を受取って実行し得、リモートコントロール２１８がレコーダ２００に接続されている間、ユーザインターフェイス２２４および／または１ボタンインターフェイス２２６が与える命令を無視し得る。
【０１２５】
いくつかの実施例においては、レコーダ２００および／またはリモートコントロール２１８は、予め規定されたパターンに従って振動することができるかまたは１つ以上の振動を発生させることのできる１つ以上の振動ユニット２８０、たとえば１つ以上のモータを含み得る。当該振動は、たとえば、予め既定された条件が満たされた場合には受信した命令もしくはコマンドに関連して、または、レコーダ２００の動作状態もしくは動作特性に関連して生成され得る。たとえば、一実施例においては、レコーダ２００および／またはリモートコントロール２１８は、レコーダ２００が命令もしくはコマンドを受信すると振動し得るか、当該レコーダ２００がＡ／Ｖデータの記録を停止させると２秒間振動し得るか、または、当該レコーダ２００が「一時停止」状態に入ると１秒間振動し得る。代替的な実施例においては、レコーダ２００および／またはリモートコントロール２１８は、アラームポート２１５を介してアラーム信号を受信すると振動し得る。いくつかの実施例においては、レコーダ２００および／またはリモート２１８は、たとえば、ユーザから命令
を受取ると予め規定された期間にわたって、または、振動機能がオンにされるまで、または、有線式リモートコントロール２１８がレコーダ２００に接続されている間、一時的に振動しなくなるよう構成され得る。
【０１２６】
いくつかの実施例においては、レコーダ２００の１つ以上の構成要素は、たとえば、Ａ／Ｖデータの滑らかなおよび／またはリアルタイムでの圧縮または記録を可能にするよう、所定の同期方式、たとえば所定のタイミングまたは周波数方式に従って動作し得る。たとえば、受信されたＡ／Ｖデータが毎秒３０フレームを表わすデータを含む場合、レコーダ２００は、毎秒３０フレームでＡ／Ｖデータを処理および記録し得る。たとえば、いくつかの具体的な実施例においては、映像Ａ／Ｄコンバータ２０３は毎秒３０フレームを変換し得、エンコーダ２０４は毎秒３０フレームを符号化し得、プロセッサ２０４は毎秒３０フレームを記憶ユニット２０９に書込み得る。いくつかの実施例においては、１つ以上の任意のタイミング構成要素、たとえばクロック、タイマ、１つ以上のバッファもしくは遅延ユニット、ＰＬＬ２１３または他の好適な構成要素を用いて、このような同期を達成し得る。
【０１２７】
いくつかの実施例においては、レコーダ２００は、当該レコーダ２００の動作の１つ以上の特性を変更するための１つ以上の変更ボタン２２５を随意に含み得る。一実施例においては、たとえば、変更ボタン２２５は、エンコーダ２０４が用いる、たとえば毎秒１２８キロビットから毎秒６４キロビットまでの符号化ビットレートを変更し得る。一実施例においては、たとえば、変更ボタン２２５は、たとえば２時間、４時間、６時間または８時間の記録を可能にするために、符号化されたＡ／Ｖデータの圧縮比または品質を変更し得る。一実施例においては、たとえば、変更ボタン２２５は、たとえば３０ＦＰＳ、２５ＦＰＳ、１５ＦＰＳまたは他の好適な値の記録を可能にするために、エンコーダ２０４および／またはプロセッサ２０６および／またはレコーダ２００が用いるＦＰＳ（毎秒フレーム）パラメータを変更し得る。いくつかの実施例においては、たとえば、変更ボタン２２５を用いて、映像データだけを記録するか、音声データだけを記録するか、または音声データおよび映像データをともに記録するようレコーダ２００に命令し得る。
【０１２８】
いくつかの実施例においては、レコーダ２００は、レコーダ２００の特性またはその動作を示し得る１つ以上の発光ダイオード（ＬＥＤ）２３１または他の目に見える印を随意に含み得る。たとえば、いくつかの実施例においては、ＬＥＤ２３１は、レコーダ２００がオンにされるか、記録しているかまたは記録する準備ができている場合に当該ＬＥＤ２３１が発光し得るように、かつ、レコーダ２００がオフにされると当該ＬＥＤ２３１が発光し得ないように、オン／オフスイッチ２２２および／またはバッテリ２２９に関連付けられてもよい。代替的な実施例においては、たとえば、ＬＥＤ２３１の発光は、レコーダ２００が記録していること、または、レコーダ２００が「一時停止」モードであり記録していないことを示し得る。別の実施例においては、多色ＬＥＤ２３１は、レコーダ２００の特性、たとえばエンコーダ２０４が用いるビットレート、を示し得る。
【０１２９】
いくつかの実施例においては、たとえば、多色ＬＥＤ２３１は、記憶ユニット２０９の利用可能な記憶容量と、記憶ユニット２０９の最大記憶容量との比率を示し得る。たとえば、一実施例においては、多色ＬＥＤ２３１は、比率が７６〜１００％であれば緑色に発光し、比率が５１〜７５％であれば白色に発光し、２６〜５０％であれば黄色に発光し、比率が２５％以下であれば赤色に発光し得る。
【０１３０】
いくつかの実施例においては、たとえば、多色ＬＥＤ２３１は、バッテリ２２９の利用可能な電力とバッテリ２２９の最大電力との比率を示し得る。たとえば、一実施例においては、多色ＬＥＤ２３１は、比率が７６〜１００％であれば緑色に発光し、比率が５１〜７５％であれば白色に発光し、比率が２６〜５０％であれば黄色に発光し、比率が２５％
以下であれば赤色に発光し得る。
【０１３１】
いくつかの実施例においては、レコーダ２００は、記憶ユニット２０９に記録されたＡ／Ｖデータのいくらかまたはすべての削除を可能にする削除ボタン２２３を随意に含み得る。一実施例においては、削除ボタン２２３は、たとえば、動作が比較的難しい可能性のある押しボタンを含み得、たとえば、レコーダ２００内に落込んでおりペンもしくはピンもしくは針を用いてアクセスできる１ミリメートルの削除ボタン２２３、または、少なくとも４秒間押された後にしか動作可能になり得ない削除ボタン２２３を含み得る。一実施例においては、削除ボタン２２３が押されると、記憶ユニット２０９に記憶された実質的にすべてのＡ／Ｖデータが削除され得る。代替的な実施例においては、削除ボタン２２３が押されると、記憶ユニット２０９に記憶された最も古いＡ／Ｖデータファイルが削除され得る。
【０１３２】
いくつかの実施例においては、レコーダ２００は、エンコーダ２０４および／またはＡ／Ｖ入力ポート２０１に動作可能に関連付けられ得る検出器２１４を随意に含み得る。検出器２１４は、たとえば、Ａ／Ｖ入力ポート２０１が映像信号を受信しているかどうか、Ａ／Ｖ入力ポート２０１が音声信号を受信しているかどうか、または、Ａ／Ｖ入力ポート２０１が音声信号および映像信号をともに受信しているかどうかを検出することのできるコントローラを含み得る。検出器２１４および／またはエンコーダ２０４は、検出結果に関連する動作を実行し得るか、またはその実行を回避し得る。たとえば、一実施例においては、エンコーダ２０４は、Ａ／Ｖ入力ポート２０１がＡ／Ｖ信号を受信していないことを検出器２１４が検出した場合、または、Ａ／Ｖ入力ポート２０１が映像信号を受信していないことを検出器２１４が検出した場合、Ａ／Ｖデータを符号化しないようにし得る。代替的な実施例においては、たとえば、レコーダ２００は、たとえば、Ａ／Ｖ入力ポート２０１がＡ／Ｖ信号を受信していないことを検出器２１４が検出した場合、または、Ａ／Ｖ入力ポート２０１が映像信号を受信していないことを検出器２１４が検出した場合、振動ユニット２８０を用いて振動を発生させ得る。いくつかの実施例においては、たとえば、レコーダ２００は「スタンバイ」モードで動作し得、たとえば、エンコーダ２０４はＡ／Ｖデータを符号化し得、および／または、プロセッサ２０６は、Ａ／Ｖデータが入力ポート２０１によって受信されたことを検出器２１４が検出した場合にのみ、記憶ユニット２０９にデータを記憶し得る。
【０１３３】
いくつかの実施例においては、レコーダ２００は、たとえば、液晶ディスプレイ（ＬＣＤ）、たとえばカラーＬＣＤ、モノクロＬＣＤ、グレースケールＬＣＤなどを含み得るディスプレイユニット２３２を随意に含み得る。ディスプレイユニット２３２は、たとえば、レコーダ２００またはその動作に関する１つ以上の印を表示し得る。たとえば、いくつかの実施例においては、ディスプレイユニット２３２は、レコーダ２００の動作の現在のモード、たとえば「記録」モード、「一時停止」モードまたは「停止」モードの印を表示し得る。一実施例においては、たとえば、ディスプレイユニット２３２は、記憶ユニット２０９の利用可能な記憶容量と記憶ユニット２０９の最大記憶容量との比率の印を表示し得る。別の実施例においては、たとえば、ディスプレイユニット２３２は、バッテリ２２９の利用可能な電力とバッテリ２２９の最大電力との比率の印を表示し得る。代替的な実施例においては、たとえば、ディスプレイユニット２３２は、エンコーダ２０４が用いる符号化ビットレート、エンコーダ２０４が用いる圧縮比または圧縮アルゴリズムなどの印を表示し得る。
【０１３４】
いくつかの実施例においては、レコーダ２００はデコーダ２３３を随意に含み得る。当該デコーダ２３３は、たとえば、予め規定されたプロトコルまたはアルゴリズムに従ってデジタルＡ／Ｖデータを復号または復元することのできるプロセッサを含み得る。たとえば、デコーダ２３３は、記憶ユニット２０９に接続され、記憶ユニット２０９に記憶され
た圧縮されたＭＰＥＧ−２ファイルを読出し、当該ファイルを復号して、実質的に圧縮されていないデジタル映像データおよび／または音声データを生成し得る。いくつかの実施例においては、圧縮されていないデジタル映像データは、随意には、たとえばデジタル−アナログ（Ｄ／Ａ）コンバータ２８６を用いて、デジタル形式からアナログ形式に変換され得る。一実施例においては、圧縮されていない映像データはディスプレイユニット２３２に転送され得、圧縮されていない音声データは任意のスピーカ２８５に転送され得る。代替的な実施例においては、圧縮されていないＡ／Ｖデータは、たとえばＡ／Ｖ出力ポート２３４を用いて、レコーダ２００から、外部のディスプレイユニット、再生ユニット、モニタ、テレビ、スピーカ、イヤフォンまたは他の外部の装置に転送され得る。
【０１３５】
いくつかの実施例においては、随意には、スピーカ２８５は、たとえばレコーダ２００の特性またはレコーダ２８５の動作に関連する聞き取ることのできる印を生成し得る。たとえば、スピーカ２８５は、バッテリ２９９が利用可能な電力の予め規定されたしきい値を有するか、記憶ユニット２０９が利用可能な記憶容量の予め規定されたしきい値を有するか、レコーダ２００がユーザインターフェイス２２４もしくはリモートコントロール２１８を介してユーザから命令を受取るか、または、予め規定された条件もしくは基準が満たされた場合、聞き取ることのできる印を与え得る。一実施例においては、スピーカ２８５は、実質的に聞き取ることのできる印が生成されない「サイレントモード」でユーザがレコーダ２００を作動させることを可能にするように、たとえばユーザインターフェイス２２４またはリモートコントロール２１８を用いてオンまたはオフにされ得る。
【０１３６】
いくつかの実施例においては、レコーダ２００は比較的小型であり得るか、または比較的軽量であり得る。いくつかの実施例においては、たとえば、レコーダ２００の重量または質量は、バッテリ２２９を含まなければ約８０グラムもしくは２．８オンス、バッテリ２２９を含むと約１１４グラムもしくは４オンス、バッテリ２２９を含むと１２０グラムもしくは４．５オンス未満もしくは１１５グラム以下、または、バッテリ２２９を含まなければ１１０グラムもしくは３オンス未満であり得る。いくつかの実施例においては、レコーダ２００は、たとえば、シャツの下、ズボンの下、下着類の内側、壁に掛けられた絵画の後ろ、引出しの中、ベッドの下、テーブルの下、衣類の内側ポケットまたは外側ポケットの中などに容易に隠すことができるだろう。たとえば、いくつかの実施例においては、レコーダ２００は、長さが約７７ミリメートル、幅が約５０．８ミリメートル、深さが約２３ミリメートルであり得る。いくつかの実施例においては、たとえば、レコーダ２００の体積は、約９０立方センチメートル、約３．０５液量オンス、９０もしくは１００立方センチメートル未満、または、３．０もしくは３．３液量オンス未満であり得る。
【０１３７】
いくつかの実施例においては、随意には、Ａ／Ｖ入力ポート２０１は、たとえば、ＰＡＬ、ＳＥＣＡＭおよび／またはＮＴＳＣ規格をサポートする１つ以上の複合映像入力ソケットまたはインターフェイスを含み得る。
【０１３８】
いくつかの実施例においては、Ａ／Ｖ入力ポート２０１は、デュアルモノ入力として随意に用いられ得る１つのＭＩＣ音声入力および１つのラインイン音声入力を含み得る。
【０１３９】
いくつかの実施例においては、Ａ／Ｖ出力ポート２３４は、１つ以上の複合映像出力ソケットまたはインターフェイスを含み得る。一実施例においては、レコーダ２００は、たとえば、ユーザのコマンドに基づいて、Ａ／Ｖ出力ポート２３４を介する記録された再生の出力と、「ライブ」の出力またはレコーダ２００によって（たとえば「ライブ」のモニタとして）取込まれた実質的にリアルタイムのＡ／Ｖの出力とを切換え得る。
【０１４０】
いくつかの実施例においては、レコーダ２００は、経時的モードまたは間隔モードでＡ／Ｖを記録し得る。たとえば、レコーダ２００は、予め規定された秒数ごとに１つ以上の
フレームを記録し得、たとえば、２秒ごとに１つのフレーム、５０秒ごとに１つのフレーム、２分ごとに１つのフレームなどを記録し得る。
【０１４１】
いくつかの実施例においては、随意には、レコーダ２００は、データを出力し、二次的に取付けられた記憶ユニット、たとえば、二次的なＵＳＢ付きの小型ディスクドライブに記録し得る。
【０１４２】
いくつかの実施例においては、レコーダ２００によって記憶されたメディアファイルは、たとえば、ファイルの認証および／またはファイルに対する不正な細工の防止のためにシグネチャまたは符号化を随意に含み得る。一実施例においては、メディアファイルは、ユーザが生成したキーまたはパスワードを用いて暗号化され得る。
【０１４３】
いくつかの実施例においては、レコーダ２００は、符号化および／または記憶の前に、たとえばフレームの所定の位置またはユーザが選択したフレームの位置において、目に見えるタイムスタンプ、目に見える日付スタンプ、または他の目に見える画面上のスタンプを映像フレームに追加し得る。
【０１４４】
いくつかの実施例においては、レコーダ２００は、たとえば、当該レコーダ２００が、動きを検出し次第Ａ／Ｖを記録し始めるかまたは記録し続け得、動きがもはや検出されなければＡ／Ｖの記録を停止または一時停止し得るように、動き検出器または他のセンサを随意に含み得る。
【０１４５】
いくつかの実施例においては、レコーダ２００は、たとえば、ＵＳＢポート２１０を介してパーソナルコンピュータに接続される場合、随意には大容量記憶装置として機能し得る。随意には、レコーダ２００は、さらに、１つ以上のスレーブの記憶装置のホストとして機能し得る。
【０１４６】
いくつかの実施例においては、レコーダ２００の１つ以上のソフトウェア構成要素および／またはファームウェア構成要素は、たとえば、ＵＳＢポート２１０とパーソナルコンピュータ上で動作するソフトウェアとを用いて、アップグレードまたは変更が可能であり得る。
【０１４７】
一実施例においては、レコーダ２００は、長さが約９２ミリメートルまたは９２ミリメートル未満、幅が約６２ミリメートルまたは６２ミリメートル未満、高さが約２７ミリメートルまたは２７ミリメートル未満であり得る。
【０１４８】
ここで図２３を参照すると、この発明のいくつかの実施例に従ったＡ／Ｖデータ記録の方法の概略的なフローチャートが示される。当該方法は、たとえば、レコーダ２００、レコーダ１１０、または他の好適な装置もしくはシステムで用いられてもよい。
【０１４９】
ブロック３１０に示されるように、当該方法は、Ａ／Ｖデータを搬送する信号を受信するステップを含み得る。これは、たとえば、Ａ／Ｖ入力ポート２０１によって実行され得る。
【０１５０】
ブロック３２０に示されるように、当該方法は、受信されたＡ／Ｖデータをアナログ形式からデジタル形式に変換するステップを随意に含み得る。これは、たとえば、Ａ／Ｄコンバータ２０２および２０３によって実行され得る。
【０１５１】
ブロック３３０に示されるように、当該方法は、符号化規格または圧縮アルゴリズムに従ってＡ／Ｖデータを圧縮するステップを含み得る。これは、たとえば、エンコーダ２０
４により、ＭＰＥＧ−２符号化に従って実行され得る。
【０１５２】
ブロック３４０に示されるように、随意には、当該方法は、圧縮されたＡ／Ｖデータを、たとえばＦＩＦＯバッファ２０５に一時的に記憶するステップを含み得る。これは、たとえば、エンコーダ２０４によって実行され得る。
【０１５３】
ブロック３５０に示されるように、当該方法は、圧縮されたＡ／Ｖデータを記憶ユニット、たとえば記憶ユニット２０９に記憶するステップを含み得る。これは、たとえば、プロセッサ２０６により、別個の部分において、所定のファイルフォーマットまたは構造に従って実行され得る。
【０１５４】
ブロック３６０に示されるように、当該方法は、記憶された圧縮されたＡ／Ｖデータにアクセスするステップを含み得る。これは、たとえば、リンク１３１およびＵＳＢポートを介してレコーダ２００に接続され得るコンピュータ１３０によって実行され得る。このアクセスするステップは、たとえば、記憶ユニット２０９に記憶されたＡ／Ｖデータを読出すステップ、記憶ユニット２０９に記憶されたＡ／Ｖデータを変更するステップ、または記憶ユニット２０９に記憶されたＡ／Ｖデータを削除するステップを含み得る。代替的な実施例においては、当該アクセスするステップは、たとえば、Ａ／Ｖ出力ポート２３４に接続され得、記憶ユニット２０９に記憶されたＡ／Ｖデータを表示し得るモニタまたはテレビを用いて実行され得る。
【０１５５】
他の好適な動作または動作の組が、この発明の実施例に従って用いられてもよい。
図２４は、この発明の別の具体的な実施例に従ったデジタルデータレコーダ４００のブロック図を概略的に示す。レコーダ４００は、図２１のレコーダ１００の一例であり得る。レコーダ４００は、この発明のいくつかの実施例に従ったデジタルＡ／Ｖデータの圧縮および記録に好適であり得、図２２に示される任意の構成要素のいくつかを含まない可能性がある。
【０１５６】
いくつかの実施例においては、レコーダ４００は、たとえば、Ａ／Ｖ入力ポート２０１、音声Ａ／Ｄコンバータ２０２、映像Ａ／Ｄコンバータ２０３、メモリユニット２５４を有するエンコーダ２０４、バッファ２０５、ＲＯＭ２０７およびフラッシュメモリ２０８を有するプロセッサ２０６、記憶ユニット２０９、ＵＳＢポート２１０、ＲＴＣ２１２、ならびに、１つ以上のＰＬＬ２１３を含み得る。レコーダ４００は、随意には、１ボタンインターフェイス２２６または別の好適なユーザインターフェイスを含み得る。
【０１５７】
レコーダ４００の動作およびその構成要素は、図２２に関連して詳述されるように、レコーダ２００の動作およびその対応する構成要素に類似し得るかまたはこれらと実質的に同一であり得る。
【０１５８】
図２５Ａおよび図２５Ｂは、この発明の具体的な実施例に従ったデジタルデータレコーダ５００の第１の側面図および第２の側面図をそれぞれ示す。レコーダ５００は、たとえば、レコーダ１１０、レコーダ２００またはレコーダ４００に類似し得る。いくつかの実施例においては、レコーダ５００の構成要素のいくつかまたはすべては、ハウジング５５５、たとえばプラスチックまたは他の好適な材料でできた独立型の箱または容器の内部に配置され得る。
【０１５９】
図２６は、この発明の具体的な実施例に従ったデジタルデータレコーダ６００を示す。レコーダ６００は、たとえば、レコーダ１１０、レコーダ２００、レコーダ４００またはレコーダ５００に類似し得る。レコーダ６００は、たとえば、レコーダ６００の構成要素の１つ以上を有する集積回路（ＩＣ）または処理ボードを含み得る処理回路６６６を用い
て実現され得る。
【０１６０】
図２７は、たとえば、レコーダ１１０、レコーダ２００、レコーダ４００、レコーダ５００またはレコーダ６００に類似し得るデジタルデータレコーダ７００を概略的に示す。矢印７７１、７７２、７７３および７７４は、レコーダ７００の対応する部分のサイズをミリメートルで示す。
【０１６１】
この発明のいくつかの実施例が、たとえば、単一のユニットを用いてまたは単一のハウジングの内部で実現され得るシステム１００および／またはレコーダ２００の構成要素の好適な組合せを含み得ることが認識されるだろう。たとえば、一実施例に従ったデジタルデータレコーダは、図２１のカメラ１２０および図２２のレコーダ２００を含め、図２５Ａのハウジング５５５に類似のハウジングまたはパッケージを含み得る。代替的な実施例においては、デジタルデータレコーダは、たとえば、図２１のカメラ１２０および図２４のレコーダ４００を含め、図２５Ａのハウジング５５５に類似のハウジングまたはパッケージを含み得る。他の好適な構成要素またはユニットが、この発明の実施例に従った共通のハウジング、パッケージ、ボードまたは回路内で組合され得るか、埋込まれ得るかまたは一体化され得る。
【０１６２】
この発明のいくつかの実施例は、ソフトウェア、ハードウェア、または特定のアプリケーションに好適であり得るかもしくは特定の設計要件に従ったソフトウェアおよび／もしくはハードウェアのいずれかの組合せによって、実現され得る。この発明の実施例は、互いに別個であり得るかまたは全体もしくは一部が一緒に組合され得るユニットおよび／またはサブユニットを含み得、特定の多目的または汎用のプロセッサもしくはコントローラまたは当該技術において公知の装置を用いて実現され得る。この発明のいくつかの実施例は、データを一時的もしくは長期間記憶するための、または、特定の実施例の動作を容易にするために、バッファ、レジスタ、記憶ユニットおよび／またはメモリユニットを含み得る。
【０１６３】
この発明のいくつかの特徴をこの明細書中に例示および記載してきたが、多くの変形例、代替例、変更例および同等例が当業者によって見出され得る。したがって、添付の特許請求の範囲がこの発明の真の精神の範囲内であるこのような変形例および変更例をすべて含むよう意図されることが理解されるべきである。
【図面の簡単な説明】
【０１６４】
【図１】ヘルメットに取付けられ、カメラおよびレコーダが装着されている、この発明の実施例に従った装着装置の概略的な断面図である。
【図２】この発明の実施例に従った装着装置の概略的な等角図である。
【図３】カメラおよびレコーダをヘルメットに装着する、この発明の実施例に従った方法の概略的なフローチャートである。
【図４】この発明の別の実施例に従った装着装置の概略的な等角図である。
【図５】この発明の実施例に従った装着装置の概略的な側面図である。
【図６】レコーダマウントおよびレコーダが取外されている、この発明の実施例に従った装着装置の概略的な側面図である。
【図７】レコーダマウント、レコーダ、カメラマウントおよびカメラが取外されている、この発明の実施例に従った装着装置の概略的な側面図である。
【図８】この発明の実施例に従った装着装置を示す側面図の概略的な等角図である。
【図９】カメラが中に含まれている、この発明の実施例に従ったカメラマウントの概略的な等角図である。
【図１０】カメラが中に含まれている、この発明の実施例に従ったカメラマウントの概略側面図である。
【図１１】この発明の実施例に従ったカメラの概略的な等角図である。
【図１２】第１の実質的に水平な配向角に向けられた、この発明の実施例に従ったカメラを概略的に示す第１の側面図である。
【図１３】第２の非水平な配向角に向けられた、この発明の実施例に従ったカメラを概略的に示す第２の側面図である。
【図１４】この発明の実施例に従った連結要素の第１の概略等角図である。
【図１５】この発明の実施例に従った連結要素の第２の概略等角図である。
【図１６】この発明の実施例に従ったグリップの概略等角図である。
【図１７】この発明の実施例に従ったグリップの概略等角図である。
【図１８】この発明の実施例に従ったグリップの概略等角図である。
【図１９】この発明の実施例に従ったグリップの概略等角図である。
【図２０】この発明の実施例に従った後部グリップの概略等角図である。
【図２１】カメラ、コンピュータおよびレコーダを組込み、この発明の実施例に従ったデジタルＡ／Ｖデータ記録システムの概略的なブロック図である。
【図２２】この発明の実施例に従ったデジタルＡ／Ｖデータレコーダの概略的なブロック図である。
【図２３】この発明の実施例に従ったＡ／Ｖデータ記録方法を示す概略的なフローチャートである。
【図２４】この発明の別の実施例に従ったデジタルＡ／Ｖデータレコーダの概略的なブロック図である。
【図２５Ａ】この発明の実施例に従ったデジタルデータレコーダをそれぞれ示す第１の側面図および第２の側面図である。
【図２５Ｂ】この発明の実施例に従ったデジタルデータレコーダをそれぞれ示す第１の側面図および第２の側面図である。
【図２６】この発明の別の実施例に従ったデジタルデータレコーダを示す図である。
【図２７】この発明の別の実施例に従ったデジタルデータレコーダを示す図である。
【符号の説明】
【０１６５】
１０００  装着装置、１０２１  カメラ、１０２２  マイクロフォン、１０２３  カメラマウント、１０２４  配向機構、１０２５  ベースレール、１０３０  レコーダマウント、１０３１  レコーダ、１０３２  電源、１０３６  有線式リンク、１０４０  連結要素、１０５０  ヘルメット。
【図１】
2007143107.tif 000003
【図２】
2007143107.tif 000004
【図３】
2007143107.tif 000005
【図４】
2007143107.tif 000006
【図５】
2007143107.tif 000007
【図６】
2007143107.tif 000008
【図７】
2007143107.tif 000009
【図８】
2007143107.tif 000010
【図９】
2007143107.tif 000011
【図１０】
2007143107.tif 000012
【図１１】
2007143107.tif 000013
【図１２】
2007143107.tif 000014
【図１３】
2007143107.tif 000015
【図１４】
2007143107.tif 000016
【図１５】
2007143107.tif 000017
【図１６】
2007143107.tif 000018
【図１７】
2007143107.tif 000019
【図１８】
2007143107.tif 000020
【図１９】
2007143107.tif 000021
【図２０】
2007143107.tif 000022
【図２１】
2007143107.tif 000023
【図２２】
2007143107.tif 000024
【図２３】
2007143107.tif 000025
【図２４】
2007143107.tif 000026
【図２５Ａ】
2007143107.tif 000027
【図２５Ｂ】
2007143107.tif 000028
【図２６】
2007143107.tif 000029
【図２７】
2007143107.tif 000030
【外国語明細書】
2007143107000001.pdf